(57)【要約】【課題】ワインボトルの包装に利用でき、その上、簡易なワインクーラーとしても利用できるワインボトルバッグを提供する。【解決手段】ワインボトル１１を収容する袋状のワインボトルバッグ１にして、水密性と防水性を備え、引裂強度、衝撃強度に優れ、さらに、当該ワインボトルバッグ内に収容されたワインボトル１１の周面との間に氷水が介在できる容積を備えたワインボトルバッグ１であり、底部に補強部３が設けられることで自立可能とされている。【選択図】      図２
2016003024.tif 000002
【特許請求の範囲】
【請求項１】
ワインボトルを収容する袋状のワインボトルバッグにして、
水密性と防水性を備え、かつ、当該ワインボトルバッグ内に収容された前記ワインボトルの周面との間に氷水が介在できる容積を備えたワインボトルバッグ。
【請求項２】
上部に封口のための締め紐を取り付けたことを特徴とする請求項１に記載のワインボトルバッグ。
【請求項３】
底部に自立可能とする補強部を備えたことを特徴とする請求項１又は請求項２に記載のワインボトルバッグ。
【請求項４】
ＥＶＡ樹脂で形成されていることを特徴とする請求項１乃至請求項３のいずれか１項に記載のワインボトルバッグ。
【請求項５】
ワインボトルを収容する袋状のワインボトルバッグにして、水密性と防水性を備え、かつ、当該ワインボトルバッグ内に収容された前記ワインボトルの周面との間に氷水が介在できる容積を備えたワインボトルバッグを用いてワインボトルを冷やす方法であって、
前記ワインボトルバッグ内に適量の氷と水を入れ、
前記氷と水の入れられているワインボトルバッグ内にワインボトルを収容して氷水にて冷やすことを特徴とするワインボトルを冷やす方法。
【発明の詳細な説明】
【技術分野】
【０００１】
本発明は、ワインボトルの包装兼クーラーとして利用できるワインボトルバッグとそれを利用したワインボトルを冷やす方法に関する。
【背景技術】
【０００２】
簡易なワインクーラーとして、バケット内に氷を入れ、そのバケットの氷の中にワインボトルを差し入れて使用するものが知られている。
【０００３】
このような従来のワインクーラーの場合、直接にワインボトルを氷で冷やせるので便利であるが、１本１本のワインボトルを包む包装バッグとしては使用できず、ワインボトルの包装バッグが別に必要であった。
【０００４】
一方、ワインボトルバッグの場合、ワインボトルを包んで持ち運ぶ際に保護する役割を果たせるが、ワインボトルを適温に冷やすためには別途上記のようなワインクーラーを使用する必要があった。
【先行技術文献】
【特許文献】
【０００５】
【特許文献１】特開２０１０−０４７３１３号公報
【特許文献２】特開２００３−１５３７２１号公報
【特許文献３】特開２００３−０７２７３６号公報
【特許文献４】特開２００２−３３７８４７号公報
【特許文献５】特開平１１−３４９０４４号公報
【特許文献６】特表２００２−５３１３４３号公報
【発明の概要】
【発明が解決しようとする課題】
【０００６】
本発明は、上記従来技術の課題に鑑みてなされたもので、ワインボトルの包装に利用でき、その上、簡易なワインクーラーとしても利用できるワインボトルバッグ、そして当該ワインボトルバッグを利用してワインボトルを冷やす方法を提供することを目的とする。
【課題を解決するための手段】
【０００７】
本発明の１つの特徴は、ワインボトルを収容する袋状のワインボトルバッグにして、水密性と防水性を備え、かつ、当該ワインボトルバッグ内に収容された前記ワインボトルの周面との間に氷水が介在できる容積を備えたワインボトルバッグである。
【０００８】
上記発明のワインボトルバッグでは、上部に封口のための締め紐を取り付けたものとすることができる。
【０００９】
本発明の別の特徴は、ワインボトルを収容する袋状のワインボトルバッグにして、水密性と防水性を備え、かつ、当該ワインボトルバッグ内に収容された前記ワインボトルの周面との間に氷水が介在できる容積を備えたワインボトルバッグを用いてワインボトルを冷やす方法であって、前記ワインボトルバッグ内に適量の氷と水を入れ、前記氷と水の入れられているワインボトルバッグ内にワインボトルを収容して氷水にて冷やすワインボトルを冷やす方法である。
【発明の効果】
【００１０】
本発明のワインボトルバッグによれば、ワインボトルを入れて持ち運ぶのに利用でき、しかもワインボトルを冷やして飲む際には、氷を入れ水を入れてワインボトルを入れれば、ワインボトルを氷水で冷やすことができる。したがって、このワインボトルバッグをワインボトルの購入者に包装用に提供すれば、家までの持ち帰りに利用させ、また家では簡易なワインクーラーとしても利用させることができる利点がある。
【００１１】
本発明のワインボトルを冷やす方法によれば、ワインボトルを入れて持ち運ぶのに利用したワインボトルバッグを簡易なワインクーラーとしても利用できる利点がある。
【図面の簡単な説明】
【００１２】
【図１】本発明の１つの実施の形態のワインボトルバッグの斜視図。
【図２】上記実施の形態のワインボトルバッグにワインボトルを収容にして持ち運ぶ状態を示す斜視図。
【図３】上記実施の形態のワインボトルバッグに入れていたワインボトルを取り出すために締め紐を緩めて当該ワインボトルバッグの口を開いた状態を示す斜視図。
【図４】上記実施の形態のワインボトルバッグから中のワインボトルを取り出し、当該ワインボトルバッグ内に氷を入れている状態を示す斜視図。
【図５】上記実施の形態のワインボトルバッグ内に水を入れている状態を示す斜視図。
【図６】上記実施の形態のワインボトルバッグ内に氷と水を入れ、ワインボトルを入れて冷やしている状態を示す斜視図。
【発明を実施するための形態】
【００１３】
以下、本発明の実施の形態を図に基づいて詳説する。
【００１４】
図１は、本発明の１つの実施の形態のワインボトルバッグ１を示している。このワインボトルバッグ１はＥＶＡ樹脂（エチレン・酢酸ビニル共重合樹脂）、プリプロピレン、ポリエチレン等の樹脂シートで袋状に形成したものであり、水密性と防水性を備え、引裂強度、衝撃強度に優れている。
【００１５】
ワインボトルバッグ１の上部には、ワインボトル１１を入れて持ち運びに供し、また封口のために締め紐２を通してある。このワインボトルバッグ１の底部には持ち運ぶワインボトル１１の重みを受け止めるために補強部３が形成してある。この補強部３はシート厚みを厚くし、あるいは２重にすることによって形成してある。材質は同一であっても、別材であってもよい。またワインボトルバッグ１の素材も樹脂シートに限定されることはなく、例えば内側に樹脂フィルムをラミネートした防水紙材を採用することもできる。また、補強部３は、ワインボトルバック１を自立させるときの台座としての役目も有している。すなわち、ワインボトルバック１は、自立可能である。このワインボトルバッグ１は、中が見えるように一部に透明部４が形成してある。
【００１６】
次に、上記構成のワインボトルバッグ１の使用方法について説明する。図１に示すワインボトルバッグ１は、図２に示すようにその中にワインボトル１１を入れ、締め紐２によってバッグ上部を縛り、ワインボトル１１をバッグごと持ち運ぶ使い方ができる。
【００１７】
そしてワインボトル１１の栓を開けて飲む場合には、このワインボトルバッグ１を簡易なワインクーラーとして利用できる。その場合には、図３に示すように締め紐２を緩めて口を開き、ワインボトル１１をいったん取り出す。そして、図４に示すように、ワインボトルバッグ１内に適量の氷１２を入れ、さらに図５に示すように適量の水１３を入れる。この場合、適量とは、ワインボトル１１をそのワインボトルバッグ１の中に再び入れたときに冷やされた水１３があふれ出ない量である。
【００１８】
次に、図６に示すように、ワインボトル１１を自立させた状態で、ワインボトル１１をワインボトルバッグ１の中に静かに入れ、氷１２で冷やされた水１３で、必要な時間だけ冷やす。これにより、適度な温度に冷やされたワインが飲めるようになる。
【００１９】
尚、図６に示すようにワインクーラーとして使用しているときには、締め紐２は若干締めておく方がワインボトルバッグ１の形状を安定させることができる。
【００２０】
また、ワインボトルバッグ１の一部に透明部４を設けて中を見やすくしたが、必ずしも透明部４を必要とするわけではない。
【００２１】
以上のように、本発明の実施の形態のワインボトルバッグ１は、ワインボトル１１をその中に入れて持ち運ぶのに利用でき、しかもワインボトル１１を冷やして飲む際には、氷１２を入れ水１３を入れてワインボトル１１を入れれば、ワインボトル１１を氷水で冷やすことができ、このワインボトルバッグ１をワインボトル１１の購入者に包装用に提供すれば、家までの持ち帰りに利用させ、また家では簡易なワインクーラーとしても利用させることができる利点がある。
【００２２】
また、ワインボトルバック１の底部に自立可能とする補強部３を設けることにより、ワインボトルバック１が自立可能となるため、水や氷を入れた状態で自立させておくことができ、ワインボトルバック１が倒れて中の水や氷がこぼれることを防止できる。
【００２３】
また上記の実施の形態のワインボトルを冷やす方法によれば、ワインボトル１１を入れて持ち運ぶのに利用したワインボトルバッグ１を簡易なワインクーラーとしても利用できる利点がある。
【符号の説明】
【００２４】
１  ワインボトルバッグ
２  締め紐
３  補強部
４  透明部
１１  ワインボトル
１２  氷
１３  水
【図１】
2016003024.tif 000003
【図２】
2016003024.tif 000004
【図３】
2016003024.tif 000005
【図４】
2016003024.tif 000006
【図５】
2016003024.tif 000007
【図６】
2016003024.tif 000008